(57)【要約】      （修正有）【課題】発光ダイオードを内蔵の薄板アクリル樹脂の平面体上に係止した広告媒体を点灯させることにより暗闇でもはっきりと周知、確認できる広告板を提供する。【解決手段】複数個の発光ダイオード２を並列に接続して配列したプリント基板３を予め反射板の所要端に配置するとともに所要寸法の薄板アクリル樹脂１で覆い発光ダイオードに電圧を印加して構成した発光ダイオード照明装置で、薄板アクリル樹脂の表面上に図面、文字等を施した広告媒体４を係止させ、これを縦横に接続したとき、前記薄板アクリル樹脂の表面に開けた金属鳩目を被せた繋ぎ穴７に導電フック金具を引っ掛けることで縦横に連結及び点灯させるようにした。さらに別の点灯手段として薄板アクリル樹脂本体の一部に設けた複数個の軽量な固定コネクタ９とこれをリード線付きコネクタで接続した。【選択図】図１
0003164461.tif 000002
【実用新案登録請求の範囲】
【請求項１】
複数個の発光ダイオードを並列に接続して配列したプリント基板を予め反射板の所要端に配置するとともに所要寸法の薄板アクリル樹脂で覆い、発光ダイオードに電圧を印加して構成した発光ダイオード照明装置で、薄板アクリル樹脂の表面上に図面、文字等を施した広告媒体を係止させ、前記薄板アクリル樹脂の表面に開けこれに金属鳩目を被せた繋ぎ穴に導電フック金具を引っ掛けることで、縦横に連結及び点灯するように構成した発光ダイオード照明装置を用いた広告板。
【請求項２】
前記の発光ダイオード照明装置で、薄板アクリル樹脂の表面上に図面、文字等を施した広告媒体を係止させ、これを縦横に接続したとき、複数個の軽量な固定コネクタとこれをリード線付きコネクタで接続して点灯するように構成した請求項１記載の発光ダイオード照明装置を用いた広告板。
【考案の詳細な説明】
【技術分野】
【０００１】本考案は、発光ダイオード照明装置を用いた広告板の改良に関する。
【背景技術】
【０００２】最近、この種の発光ダイオードを用いた照明装置は、寿命の長さ、発熱量、消費電力等の省電力化からその利用範囲が急速に拡大しつつある。
また、応用面の用途も広範囲になってきている。
特に夜間の商店街等ではウインドーに張ってある広告宣伝紙等が照明が消されているため、広告宣伝不足で通行人には周知されずに放置状態となり、営業上デメリット等の一要因となっているのも現実である。
この現実の状態を例えば、本考案の広告板を用いることにより応用面の用途としてメリットがある。【０００３】具体的にいえば、不動産業店頭の見取り図の公告紙等は、シャッターを下ろして居る所は別として殆んどの店頭では、ウインドーに張ったまま暗闇に放置されていることから、このような場所に発光ダイオード照明装置を用いた広告板を使用することにより大幅な広告宣伝向上が図られる。【０００４】しかしながら、発光ダイオード照明装置を用いた広告板をこのような応用用途とするには次のような問題点がある。
（１）構成上、本体を形成しているいるアクリル樹脂板は板厚のものであることから重量制限を受けるため薄板にする必要がある。
（２）縦横自在の接続で使用されるため単位面積当たりの重量に制限を受けるので、照明装置の電源調整部器材はアクリル樹脂板には取り付けない構造にする必要がある。
【考案の概要】
【考案が解決しようとする課題】
【０００５】本考案は上述の問題点を除去するためになされたものであり、薄板アクリル樹脂平面体用いることで軽量化を図り、軽量を利して縦横自在に接続できるような発光ダイオード照明装置の広告板で、薄板アクリル樹脂平面体上に係止した広告媒体を暗闇でもはっきり周知、確認できるようにした。
【課題を解決するための手段】
【０００６】本考案は、複数個の発光ダイオードを並列に接続して配列したプリント基板を予め反射板の所要端に配置するとともに所要小形寸法の薄板アクリル樹脂で覆い発光ダイオードに電圧を印加して構成した発光ダイオード照明装置で、薄板アクリル樹脂の表面上に図面、文字等を施した広告媒体を係止して、これを縦横自在に導電フック金具で接続し点灯させたり、複数個の軽量なコネクタとこれをリード線付きコネクタに接続して点灯するように構成した発光ダイオード照明装置を用いた広告板の提供。
【考案の効果】
【０００７】薄板アクリル樹脂の裏面に施されている所要数のエンボスに発光ダイオードの光が乱反射することから照明度及び照明効率も極めて良好なため広告媒体ははっきり、周知、確認できる。
【図面の簡単な説明】
【０００８】
【図１】本考案の発光ダイオード照明装置を用いた広告板の斜視図
【図２】広告板を繋げる導電フック金具の斜視図
【図３】広告板を縦方向に繋げた状態の平面図及び側面図
【図４】照明装置の配線図
【図５】広告板照明装置を点灯させるためのリード線付きコネクタの斜視図
【図６】広告板の照明装置に用いる電源アダプタの斜視図
【考案を実施するための形態】
【０００９】以上のように本考案の発光ダイオード照明装置を用いた広告板では、その構成も簡易で製作も容易であり、本体一面当たりの重量も極めて軽量となることから縦横自在の接続で繋げることができる。
【実施例】
【００１０】以下、本考案の一実施例を説明すると次のようである。
図１は本考案の発光ダイオード照明装置を用いた広告板の斜視図であるが、１は薄板アクリル樹脂、２は発光ダイオード、３はプリント基板、４は広告媒体、５は絶縁シート、６は反射板、７は繋ぎ穴、８は導電フック金具、９は固定コネクタ、１０はリード線付きコネクタ、１１は  プラグ付きアダプタ、１２はスイッチ、１３は金属鳩目、１４は接続金具である。【００１１】本考案はこれらを組合わせることにより本体一面当たりの重量の少ない小形平面体の広告板を形成したもので、７の繋ぎ穴に被せた１３の金属鳩目に予めプラス、マイナスの配線を施しておき８の導通フック金具を連結及び点灯手段としている。
また、別の広告板の照明装置の部材配置に関しては、広告板の裏面の薄板アクリル板の一部に予め２の発光ダイオードの３のプリント基板のプラス及びマイナスの接点を内蔵する９の固定コネクタ９ａ、９ｂ及び１２のスイッチを細線等で接続している。なお、１１のプラグ付きアダプタは、屋内配線用コンセント等から直接プラグを差し込んで接続するとともに一端のコネクタ１１ａを９の固定コネクタ９ａ、９ｂのどちらかに差し込むようにしてある。【００１２】図２は前図１の広告板を繋ぐ手段として黄銅等の導電金属からなる８の導電フック金具の斜視図である。この導電金具は７の繋ぎ穴に１３の金属鳩目を被せており連結と同時に複数個の広告板の点灯手段としての役割を担っている。【００１３】図３は縦方向に広告板を繋いだ一例を図示したものであるが、最上部の固定板Ｘに接続されたダイオード照明装置を用いた広告板は、前記と同様に下方向に順次接続連結される。なお、この場合、最上部の固定板Ｘに用いる接続金具１４は、耐久性の有するステンレス鋼であることから落下、外れ等は生じる懸念はない。【００１４】図４はこの構成による広告板の電源配線図であるが、発光ダイオード照明装置を用いた広告板には２の発光ダイオードを複数個接続した３のプリント基板のプラス、マイナスの接点をそれぞれの７の繋ぎ穴に被せた１３の金属鳩目に細線等で配線接続して８の導通フック金具を連結と点灯手段にしている。また、別の点灯手段としてプラス、マイナスの接点を内蔵した９の固定コネクタ９ａ、９ｂのどちらかに１１のプラグ付きアダプタの一端にある１１ａのコネクタを差し込んで接続し、１２のスイッチをオンすることで点灯させることができる。さらに連結された広告板の点灯接続は、前記９の固定コネクタ９ａ、９ｂのどちらかに１０のリード線付きコネクタの一端１０ａを差し込み、他端１１ｂを９の固定コネクタ９ａ、９ｂのどちらか空いている一方へ差し込むことで点灯が可能となる。【００１５】以上のように本考案の発光ダイオード照明装置を用いた広告板は、その構成も容易なことから、製作的にも簡単であり、小形平面体の広告板としても取扱いの容易性、軽量性、照明装置としての輝度の安定等から極めて応用性にすぐれた製品を提供することができる。
【符号の説明】
【００１６】  １  薄板アクリル樹脂
２  発光ダイオード
３  プリント基板
４  広告媒体
５  絶縁シート
６  反射板
７  繋ぎ穴
８  導電フック金具
９  固定コネクタ
１０  リード線付きコネクタ
１１  プラグ付きアダプタ
１２  スイッチ
１３  金属鳩目
１４  接続金具
【図１】
0003164461.tif 000003
【図２】
0003164461.tif 000004
【図３】
0003164461.tif 000005
【図４】
0003164461.tif 000006
【図５】
0003164461.tif 000007
【図６】
0003164461.tif 000008